(57)【特許請求の範囲】
【請求項１】
可撓性を備えた医療用長尺体を巻回して収納する収納具であって、
前記医療用長尺体が巻き付けられる内壁と、
前記内壁との間に前記医療用長尺体を収納する収納空間を区画し、前記内壁よりも前記収納具の重心から放射方向外方に配置された外壁と、
前記内壁の一端部と前記外壁の一端部とを連結した連結壁と、を有し、
前記内壁の一端部から延長した内壁の他端部は、前記外壁の一端部から延長した外壁の他端部よりも前記放射方向と交差した延伸方向に向かって長く延在し、かつ、前記外壁に向かって傾斜している収納具。
【請求項２】
前記外壁の他端部は、前記内壁に向かって傾斜している請求項１に記載の収納具。
【請求項３】
前記内壁の他端部の末端は、前記外壁の他端部の末端よりも前記放射方向外方に位置している請求項１または２に記載の収納具。
【請求項４】
前記内壁は、前記内壁の一端部から前記内壁の他端部の間の壁面が前記放射方向内方に向けて凸状に湾曲し、
前記連結壁は、前記内壁の一端部と前記外壁の一端部とを結ぶ線上よりも前記内壁または前記外壁から離間するように延在し、
前記外壁は、前記外壁の一端部から前記外壁の他端部の間の壁面が前記放射方向外方に向けて凸状に湾曲している請求項１〜３のいずれか１項に記載の収納具。
【請求項５】
周方向に沿って隙間を隔てて複数の前記外壁が形成されている請求項１〜４のいずれか１項に記載の収納具。
【請求項６】
複数の前記内壁を有し、
複数の前記内壁は、隣り合う前記内壁の間に隙間が形成されており、
前記外壁は、隣り合う前記内壁の間の隙間と前記収納空間を隔てて対向している請求項５に記載の収納具。
【請求項７】
前記連結壁に貫通孔が形成されている請求項１〜６のいずれか１項に記載の収納具。
【請求項８】
前記内壁の他端部と前記外壁の他端部との間に空間を備えている請求項１〜７のいずれか１項に記載の収納具。
【発明の詳細な説明】
【技術分野】
【０００１】
本発明は、可撓性を備えた医療用長尺体を巻回して収納する収納具に関する。
【背景技術】
【０００２】
従来から、ガイドワイヤのような医療用長尺体は、医療従事者（術者）が使用までの間、生理食塩水で満たされたバット等の容器の浸漬し、保管されている。その際、医療用長尺体は、物理的損傷の防止や操作性の向上の目的で、一般的にホルダのような収納具に巻回して収納した状態で保管されることがある。【０００３】
例えば、医療従事者（術者等）がガイドワイヤを生体内から一旦抜去してから再導入するまでの間、ガイドワイヤは、バットのような容器に満たした生理食塩水に浸漬されて湿潤状態が維持される。【０００４】
下記特許文献１には、一旦コイル状に巻回された後のガイドワイヤを収納するガイドワイヤホルダーが開示されている。【０００５】
また、下記特許文献２には、外壁の部分にカテーテルのような医療用長尺体の基端部を固定するためのルアー保持部と、収納した後のカテーテルの飛び出しを防止するための保持部を備えたカテーテルホルダーが開示されている。
【先行技術文献】
【特許文献】
【０００６】
【特許文献１】米国特許第６５４７０７２号明細書
【特許文献２】米国特許第６９０２０５７号明細書
【発明の概要】
【発明が解決しようとする課題】
【０００７】
しかしながら、特許文献１のようなホルダは、医療用長尺体をホルダに収納する際に、術者が医療用長尺体をホルダの形状に合わせて予め手作業によって巻回しなければならないことから、その使用に手間が掛かる。【０００８】
また、特許文献２のようなホルダについても、医療用長尺体をホルダに収納する際に、術者が医療用長尺体をホルダの各種の保持部に合わせて巻回しなければならないことから、特許文献１のようなホルダを使用する場合と同様に手間が掛かる。【０００９】
本発明は、上記問題に鑑みてなされたものであり、術者が可撓性を備えた医療用長尺体を巻回して容易に収納することができる収納具を提供することを目的とする。
【課題を解決するための手段】
【００１０】
本発明に係る収納具は、可撓性を備えた医療用長尺体を巻回して収納する収納具であって、前記医療用長尺体が巻き付けられる内壁と、前記内壁との間に前記医療用長尺体を収納する収納空間を区画し、前記内壁よりも前記収納具の重心から放射方向外方に配置された外壁と、前記内壁の一端部と前記外壁の一端部とを連結した連結壁と、を有し、前記内壁の一端部から延長した内壁の他端部は、前記外壁の一端部から延長した外壁の他端部よりも前記放射方向と交差した延伸方向に向かって長く延在し、かつ、前記外壁に向かって傾斜している。
【発明の効果】
【００１１】
本発明に係る収納具によれば、内壁の一端部から延長した内壁の他端部が、外壁の一端部から延長した外壁の他端部よりも収納具の重心からの放射方向と交差した延伸方向に向かって長く延在し、かつ、外壁に向かって傾斜している。このような構成によれば、術者は、医療用長尺体を内壁の他端部の側から巻回する場合、医療用長尺体を外壁の他端部と干渉させることなく、内壁の他端部に巻回することができる。また、医療用長尺体を内壁の他端部に巻回する際、医療用長尺体は、術者の引張力によって周方向に沿った円弧が小さくなると共に内壁の他端部の側から内壁の一端部の側に移動した後、医療用長尺体が巻回された状態から弾性力によって元の形状に戻ろうとして周方向に沿った円弧が大きくなると共に外壁の側に誘導される。したがって、術者が、収納具に可撓性を備えた医療用長尺体を巻回して容易に収納することができる。また、医療用長尺体を本発明に係る収納具から引き抜く際、医療用長尺体は、その医療用長尺体に生じる張力によって内壁に順々に接近していく。これにより、医療長尺体は、収納具の内部でもつれることなく、容易に取り出すことができる。また、複数本の医療用長尺体を収納具に収納した場合にも同様の効果が期待できる。なお、放射方向及び放射方向外方とは、収納具の重心から内壁側又は外壁側に向かう方向である。ここで、「内壁よりも放射方向外方に配置された外壁」とは、外壁が内壁よりも収納具の重心から離れた位置に配置されていることを表すものである。
【図面の簡単な説明】
【００１２】
【図１】実施形態に係る収納具を示す斜視図である。
【図２】図１の収納具を巻回軸の一方（上方）から他方（下方）に向かって示す側面図である。
【図３】図１の収納具の要部を断面で示す側面図である。
【図４】図１の収納具に医療用長尺体を巻回して収納する状態を示す斜視図である。
【図５】図４の収納具に医療用長尺体を巻回して収納する過程を示す模式図である。
【図６】図４および図５に示す状態から引き続き、収納具に収納した医療用長尺体を生理食塩水に浸す状態の前後を示す斜視図である。
【図７】図６に示す状態から引き続き、収納具から医療用長尺体を引き出す状態を示す斜視図である。
【図８】図７の収納具から医療用長尺体を引き出す過程を示す模式図である。
【発明を実施するための形態】
【００１３】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。図１〜図８の全ての図において、Ｍ、Ｈ、およびＲで表す矢印を用いて軸または方位を示している。Ｍによって表す矢印は、医療用長尺体の巻回軸Ｍを示している。Ｈによって表す矢印は、巻回軸Ｍと交差する法線方向Ｈを示している。Ｒによって表す矢印の方向は、巻回軸Ｍを中心軸とする周方向Ｒを示している。医療用長尺体は、術者が手元で操作する側が基端側に相当し、患者の生体（血管等）内に導入する側が先端側に相当する。なお、医療用長尺体の巻回軸Ｍは、収納具の重心である。
【００１４】
図面において、図２に示すように、収納具１０に収納すべきガイドワイヤ１００の円弧を、周方向Ｒに沿った円弧に相当するｒ１、ｒ２、ｒ３、およびｒ４によって模式的に示している。図２中の円弧ｒ１およびｒ２は、図５中に示すｒ１およびｒ２に関連している。図２中の円弧ｒ３およびｒ４は、図８中に示すｒ３およびｒ４に関連している。
【００１５】
収納具１０の構成について、図１〜図３を参照しながら説明する。
【００１６】
図１は、実施形態に係る収納具１０を示す斜視図である。図１（Ａ）は、収納具１０を上方から示す斜視図である。図１（Ｂ）は、収納具１０を下方から示す斜視図である。図２は、図１の収納具を巻回軸Ｍの上方から下方に向かって示す側面図である。図３は、図１の収納具１０の要部を断面で示す側面図である。図３は、図２の３−３線に沿って示している。
【００１７】
収納具１０は、可撓性を備えたガイドワイヤ１００を巻回して収納するものである。収納具１０は、図１等に示すように、円環状に形成され、巻回されたガイドワイヤ１００の周方向Ｒに沿った円弧上において、内壁１１と外壁１２が交互に配置されている。収納具１０は、外壁１２を、内壁１１よりも収納具１０が形成する円環の放射方向外方に配置している。ここで、収納具１０において、収納空間１４は、図３に示すように、内壁１１と外壁１２の間に区画されている。
【００１８】
収納具１０は、図１および図３に示すように、放射方向と交差した延伸方向の他方（下方）において、内壁１１の一端部１１ａと外壁１２の一端部１２ａの間が、連結壁１３によって連結されている。すなわち、収納具１０は、複数の内壁１１、複数の外壁１２、および連結壁１３が、一つの部材によって一体的に形成されている。収納具１０は、図１および図３に示すように、放射方向と交差した延伸方向の一方（上方）において、内壁１１の他端部１１ｂと外壁１２の他端部１２ｂの間から、ガイドワイヤ１００を導入することができる。
【００１９】
図１〜図４に示す内壁１１は、ガイドワイヤ１００が巻き付けられる。内壁１１は、放射方向と交差した延伸方向に向かって延在している。内壁１１は、図１および図２に示すように、周方向Ｒに沿って隙間を隔てて複数形成されている。内壁１１は、収納具１０の底面に相当する連結壁１３と連結した一端部１１ａから延長した他端部１１ｂが、外壁１２に向かって傾斜している。詳細には、内壁１１は、図３に示すように、一端部１１ａから他端部１１ｂの間の壁面が、放射方向内方に向けて凸状に湾曲している。すなわち、内壁１１は、放射方向内方に向かって膨らむように湾曲している。内壁１１は、このような形状であることから、ガイドワイヤ１００を沿わせながら移動させ易い。なお、放射方向内方とは、内壁側又は外壁側から収納具の重心に向かう方向である。
【００２０】
図３に示すように、内壁１１の他端部１１ｂは、外壁１２の一端部１２ａから延長した他端部１２ｂと比較して、図４のように巻回されるガイドワイヤ１００の放射方向と交差した延伸方向に向かって長く延在している。すなわち、内壁１１の他端部１１ｂは、放射方向と交差した延伸方向に向かって、外壁１２の他端部１２ｂよりも突出している。さらに、図３に示すように、内壁１１の他端部１１ｂの末端は、外壁１２の他端部１２ｂの末端よりも放射方向外方に位置している。すなわち、内壁１１の他端部１１ｂは、外壁１２の他端部１２ｂを放射方向と交差した延伸方向から覆うように配置している。
【００２１】
内壁１１は、ガイドワイヤ１００を円弧状に巻回させることから、周方向Ｒに沿って均等な間隔で３つ以上形成されていることが望ましい。内壁１１は、図１に示すように、一例として８つ図示している。複数の内壁１１は、同一の形状であってもよいし、異なる形状であってもよい。複数の内壁１１のうち、一つだけ切欠きを備え、その切欠きにガイドワイヤ１００の巻き始めの端部（例えば基端側）を差し込んで、その端部を保持する構成としてもよい。
【００２２】
図１〜図４に示す外壁１２は、内壁１１と同様に、放射方向と交差した延伸方向に向かって延在している。外壁１２は、図１に示すように、内壁１１と互い違いになるように、周方向Ｒに沿って隙間を隔てて複数形成されている。外壁１２は、図３に示すように、収納具１０の底面に相当する連結壁１３と連結した一端部１２ａから延長した他端部１２ｂが、内壁１１に向かって傾斜している。詳細には、外壁１２は、図３に示すように、一端部１２ａから他端部１２ｂの間の壁面が、放射方向外方に向けて凸状に湾曲している。すなわち、外壁１２は、放射方向外方に向かって膨らむように湾曲している。外壁１２は、このような形状であることから、内壁１１と同様に、ガイドワイヤ１００を沿わせながら移動させ易い。
【００２３】
外壁１２は、内壁１１と同様に、ガイドワイヤ１００を円弧状に支持することから、周方向Ｒに沿って均等な間隔で３つ以上形成されていることが望ましい。外壁１２は、図１に示すように、内壁１１と同様に、一例として８つ図示している。複数の外壁１２は、同一の形状であってもよいし、異なる形状であってもよい。外壁１２は、切欠きを備え、その切欠きにガイドワイヤ１００の巻き終わりの端部（例えば先端側）を差し込んで、その端部を保持する構成としてもよい。全ての外壁１２に切欠きを備えれば、ガイドワイヤ１００の全長に寄らず、その端部を周方向Ｒに沿ったいずれかの位置において保持し易い。また、外壁１２の切欠きには、ガイドワイヤ１００を収納する際、ガイドワイヤ１００の巻き始めの端部を差し込んでもよい。これにより、ガイドワイヤ１００は、ガイドワイヤ１００の巻き始めの端部が固定されるため、内壁１１に巻回しやすくなる。
【００２４】
連結壁１３は、内壁１１の一端部１１ａと外壁１２の一端部１２ａとを結ぶ線上（図３に示すＱ−Ｑ間）よりも内壁１１または外壁１２から離間するように延在している。すなわち、連結壁１３は、内壁１１と外壁１２との間で形成された収納空間１４に対して、凹状に形成している。連結壁１３は、放射方向と交差した延伸方向に沿って貫通孔１３ｅが形成されている。貫通孔１３ｅは、収納具１０を生理食塩水で満たされたバット２００等の容器に浸漬する際、生理食塩水の収納空間１４への侵入を促進する。また、貫通孔１３ｅは、収納具１０を生理食塩水で満たされたバット２００等の容器から取り出す際、生理食塩水の収納空間１４からの排出を促進する。そのため、収納具１０は、生理食塩水等の溶液で満たされたバット２００等の容器への浸漬又は取り出しが容易である。なお、収納具１０を液体で満たされた容器に浸漬等をさせない場合、収納具１０は、貫通孔１３ｅを有していなくてもよい。
【００２５】
貫通孔１３ｅは、一例として、円形状からなり、周方向Ｒに沿って均等な間隔で８つ開口している。貫通孔１３ｅは、隣り合う内壁１１と内壁１１の間であって、外壁１２によって覆われるように、連結壁１３に形成されている。貫通孔１３ｅは、隣り合う外壁１２と外壁１２の間であって、内壁１１によって覆われるように、連結壁１３に形成してもよい。
【００２６】
収納具１０は、例えば、金型を用いた射出成型による成形、エンドミルを用いた切削加工による成形、３次元プリンタを用いた成形によって形成することができる。一方、収納具１０は、複数の内壁１１、複数の外壁１２、および連結壁１３を、それぞれ別体として形成した後に、互いに接合して形成してもよい。収納具１０は、例えば、プラスチックス、金属、ガラス、および陶器を用いて形成することができる。収納具１０は、例えば生理食塩水のような液体に浸漬する可能性が有る場合、それらの液体に不活性の材質を用いる。
【００２７】
収納具１０の使用方法について、図４〜図８を参照しながら説明する。
【００２８】
図４は、図１の収納具１０にガイドワイヤ１００を巻回して収納する状態を示す斜視図である。図５は、図４の収納具１０にガイドワイヤ１００を巻回して収納する過程を示す模式図である。図６は、図４および図５に示す状態から引き続き、収納具１０に収納したガイドワイヤ１００を生理食塩水に浸す状態の前後を示す斜視図である。図７は、図６に示す状態から引き続き、収納具１０からガイドワイヤ１００を引き出す状態を示す斜視図である。図８は、図７の収納具１０からガイドワイヤ１００を引き出す過程を示す模式図である。
【００２９】
図４および図５を参照しながら、術者が、収納具１０にガイドワイヤ１００を巻回して収納する方法について説明する。
【００３０】
図４に示すように、術者は、例えば、収納具１０を左手で把持した状態において、ガイドワイヤ１００を右手で引っ張りながら収納具１０の内壁１１に巻き付けていく。なお、術者は、収納具１０にガイドワイヤ１００を巻き始めるときに、そのガイドワイヤ１００の巻き始めの端部（例えば基端側）を左手の親指等で押さえ付けて、その端部の移動を防ぐ。
【００３１】
引き続き、図４に示すように、術者は、ガイドワイヤ１００を収納具１０の内壁１１に巻き付けた後、ガイドワイヤ１００から手を放す。術者による拘束が解けたガイドワイヤ１００は、弾性力によって元の形状に戻ろうとして巻回軸Ｍを中心軸とする周方向Ｒに沿った円弧が大きくなると共に、内壁１１から離間して外壁１２の側に誘導される。このような方法によって、術者は、収納具１０にガイドワイヤ１００を巻回しつつ収納する。
【００３２】
ここで、収納具１０は、術者が一方の手の親指等で外壁１２を押さえ付けたまま十分に把持した状態において、もう片方の手でガイドワイヤ１００をつまんで内壁１１に巻回することができる。すなわち、収納具１０は、術者が、把持し易く、かつ、ガイドワイヤ１００を巻回し易い形状になっている。
【００３３】
この際、図５に示すように、術者によって内壁１１の他端部１１ｂ側の巻回開始位置Ｐ１（この位置におけるガイドワイヤ１００の円弧が図中のｒ１に相当）にガイドワイヤ１００が巻回される。ここで、内壁１１の他端部１１ｂが外壁１２に向かって傾斜していることから、術者によって巻回されるガイドワイヤ１００の張力の分力が、他端部１１ｂ側の巻回開始位置Ｐ１から一端部１１ａ側の巻回中途位置Ｐ２（この位置におけるガイドワイヤ１００の円弧が図中のｒ２に相当、ｒ２＜ｒ１）の側に向くことになり、ガイドワイヤ１００が巻回開始位置Ｐ１からの巻回中途位置Ｐ２の側に移動する。
【００３４】
したがって、巻回されたガイドワイヤ１００は、術者の引張力によって巻回軸Ｍを中心軸とする周方向Ｒに沿った円弧が小さくなると共に、ガイドワイヤ１００が巻回開始位置Ｐ１の側から巻回中途位置Ｐ２の側に移動する。
【００３５】
また、内壁１１は、その一端部１１ａから他端部１１ｂの間の壁面が、巻回軸Ｍ側に向けて凸状に湾曲している。したがって、ガイドワイヤ１００は、巻回開始位置Ｐ１から巻回中途位置Ｐ２に達するまでの領域において、内壁１１の湾曲した壁面に当接しつつ円滑に移動する。このような状態において、術者は、ガイドワイヤ１００を、全て内壁１１に巻回する。
【００３６】
さらに、術者がガイドワイヤ１００から手を放すと、巻回中途位置Ｐ２の位置に保持されていたガイドワイヤ１００は、弾性力によって元の形状に戻ろうとして巻回軸Ｍを中心軸とする周方向Ｒに沿った円弧が大きくなると共に外壁１２の側に誘導される。したがって、ガイドワイヤ１００は、巻回中途位置Ｐ２から外壁１２の一端部１２ａ側の巻回終了位置Ｐ３に移動する。ここで、連結壁１３は、内壁１１の一端部１１ａと外壁１２の一端部１２ａとを結ぶ線上（図３に示すＱ−Ｑ間）よりも内壁１１から離間するように延在している。すなわち、ガイドワイヤ１００は、巻回中途位置Ｐ２から巻回終了位置Ｐ３に達するまでの領域において、連結壁１３に接触することなく円滑に移動する。
【００３７】
さらに、巻回終了位置Ｐ３まで移動されたガイドワイヤ１００は、その場所に留まる。ここで、外壁１２は、その一端部１２ａから他端部１２ｂの間の壁面が、巻回軸Ｍから離反する側に向けて凸状に湾曲している。したがって、巻回終了位置Ｐ３に到達したガイドワイヤ１００は、内壁１１から離間し外壁１２に当接したときの反発力によって、外壁１２の壁面に当接しつつ巻回軸Ｍに沿って上下に移動したり、外壁１２の壁面から一時的に離間したりしても、最終的に外壁１２の湾曲した中央部分に誘導されて、その中央部分に留まる。
【００３８】
また、巻回終了位置Ｐ３に到達したガイドワイヤ１００は、ガイドワイヤ１００自らの弾性力により、ガイドワイヤ１００の外周面と外壁１２との間に摩擦力を発生させて、収納空間１４内で固定される。そのため、実施形態に係る収納具１０は、特定の固定具等を使用せず、ガイドワイヤ１００を収納空間１４から飛び出さないように固定することができる。このような観点から、実施形態に係る収納具１０に収納される医療用長尺体は、弾性力を有するものが好ましい。
【００３９】
次に、図６に示すように、収納具１０に収納されたガイドワイヤ１００を湿潤状態にさせる。
【００４０】
術者は、ガイドワイヤ１００が巻回された収納具１０を、バット２００に浸す。バット２００には、生理食塩水３００が予め満たされている。生理食塩水３００は、連結壁１３に開口した貫通孔１３ｅ、外壁１２の隙間１２ｄ、または外壁１２と内壁１１の間等から、収納具１０の収納空間１４に浸入してガイドワイヤ１００を湿潤状態にさせる。ガイドワイヤ１００は、生体内から一旦抜去してから再導入するまでの間、バット２００に満たした生理食塩水３００に浸漬されて湿潤状態が維持される。術者は、ガイドワイヤ１００を生体内に再導入する際に、収納具１０をバット２００から取り出す。
【００４１】
次に、図７および図８を参照しながら、術者がガイドワイヤ１００を生体内に再導入する際に、収納具１０に収納されたガイドワイヤ１００を外部に取り出す方法について説明する。
【００４２】
術者は、図７に示すように、収納具１０の外壁１２の隙間１２ｄから、ガイドワイヤ１００の端部（例えば先端側）を把持して周方向Ｒの接線方向に向かって真っ直ぐ引き出す。ここで、術者が収納具１０からガイドワイヤ１００を引き出す際に、その引張力によってガイドワイヤ１００の巻回軸Ｍを中心軸とする周方向Ｒに沿った円弧が小さくなる。したがって、円弧が小さくなったガイドワイヤ１００は、図８に示す外壁１２の一端部１２ａの巻回終了位置Ｐ３（この位置におけるガイドワイヤ１００の円弧が図中のｒ３に相当）から離間して内壁１１側に向かって移動し、収納空間１４の中央である巻出位置Ｐ４（この位置におけるガイドワイヤ１００の円弧が図中のｒ４に相当、ｒ４＜ｒ３）の位置に達することから、未だ外壁１２に接している部分のガイドワイヤ１００と絡み合うことを防止できる。
【００４３】
すなわち、図７に示すように、ガイドワイヤ１００は、収納具１０に複数回にわたって巻回されていることから、術者が引き出そうとすると、その全体が外壁１２に沿って周方向Ｒに回転しながら一巻きずつ順番に引き出される。その際に、引き出される部分のガイドワイヤ１００と、未だ引き出されず外壁１２に沿って周方向Ｒに回転している部分のガイドワイヤ１００が、互いに干渉することがない。このように、術者は、ガイドワイヤ１００を隙間１２ｄから円滑に引き出すことができる。術者は、収納具１０から取り出したガイドワイヤ１００をカテーテル等に導入する。
【００４４】
さらに、図７に加えて図４に示すように、収納具１０は、ガイドワイヤ１００の可撓性を利用して、そのガイドワイヤ１００を内壁１１側に巻回し、かつ、外壁１２側に誘導していることから、ガイドワイヤ１００を内壁１１や外壁１２に対して固定したり、強く巻き締めしたりしていない。さらに、術者がガイドワイヤ１００を収納具１０から引き出す際に、術者の引張力によってガイドワイヤ１００の巻回軸Ｍを中心軸とする周方向Ｒに沿った円弧が小さくなり、ガイドワイヤ１００が外壁１２側から収納空間１４側に移動して巻回が解ける。このように、術者は、ガイドワイヤ１００を収納具１０から取り出し易い。
【００４５】
また、収納具１０は、一緒に収納されている複数本のガイドワイヤ１００のうち、任意のガイドワイヤ１００のみを、術者の引張力によって巻回軸Ｍを中心軸とする周方向Ｒに沿った円弧を小さくしつつ外壁１２側から収納空間１４側に移動させることによって、他のガイドワイヤ１００に絡ませることなく、取り出すことが容易にできる。
【００４６】
また、収納具１０は、図７のように複数の外壁１２を有する場合、外壁１２にガイドワイヤ１００を識別するラベルを付与することで、収納具１０に収納されたガイドワイヤ１００を他の収納具に収納されたガイドワイヤ１００と識別することができる。特に、複数本のガイドワイヤ１００が収納具１０内に一緒に収納されている場合、術者は、ガイドワイヤ１００の端部が配置された外壁１２にそれぞれのガイドワイヤ１００を識別するラベルを付与することで、複数本のガイドワイヤ１００を容易に識別することができる。
【００４７】
以上、本実施形態に係る収納具１０によれば、以下の構成によって作用効果を奏する。
【００４８】
収納具１０は、内壁１１の一端部１１ａから延長した他端部１１ｂが、外壁１２の一端部１２ａから延長した他端部１２ｂよりも放射方向と交差した延伸方向に向かって長く延在し、かつ、外壁１２に向かって傾斜している。このような構成によれば、術者がガイドワイヤ１００を内壁１１の他端部１１ｂの側から巻回すると、ガイドワイヤ１００が外壁１２の他端部１２ｂと干渉することなく巻回されつつ引張力によって周方向Ｒに沿った円弧が小さくなると共に内壁１１の他端部１１ｂの側から一端部１１ａの側に移動した後、ガイドワイヤ１００が巻回された状態から弾性力によって元の形状に戻ろうとして周方向Ｒに沿った円弧が大きくなると共に外壁１２の側に誘導される。したがって、術者が、収納具１０に可撓性を備えたガイドワイヤ１００を巻回して容易に収納することができる。また、ガイドワイヤ１００を実施形態に係る収納具１０から引き抜く際、ガイドワイヤ１００は、そのガイドワイヤ１００に生じる張力によって内壁に順々に接近していく。これにより、ガイドワイヤ１００は、収納具１０の内部でもつれることなく、容易に取り出すことができる。また、複数本のガイドワイヤ１００を収納具に収納した場合にも同様の効果が期待できる。
【００４９】
さらに、収納具１０は、外壁１２の他端部１２ｂが内壁１１に向かって傾斜している。このため、術者によって内壁１１に巻回されたガイドワイヤ１００は、弾性力によって元の形状に戻ろうとして周方向Ｒに沿った円弧が大きくなる際、外壁１２の他端部１２ｂの側から一端部１２ａの側に誘導される。したがって、ガイドワイヤ１００を外部に離脱させることなく確実に収納することができる。
【００５０】
さらに、収納具１０は、内壁１１の他端部１１ｂの末端が外壁１２の他端部１２ｂの末端よりも放射方向外方に位置している。このため、術者によって内壁１１に巻回されたガイドワイヤ１００は、弾性力によって元の形状に戻ろうとして周方向Ｒに沿った円弧が大きくなる際、放射方向と交差した延伸方向に向かって移動しても、外壁１２を覆うように配置した内壁１１によってガイドワイヤ１００の移動を規制する。したがって、ガイドワイヤ１００を外部に離脱させることなく十分に収納することができる。
【００５１】
さらに、収納具１０は、内壁１１において、一端部１１ａから他端部１１ｂの間の壁面が放射方向内方に向けて凸状に湾曲している。このため、術者によって内壁１１に巻回されるガイドワイヤ１００は、術者による引張力によって周方向Ｒに沿った円弧が小さくなると共に、内壁１１の他端部１１ｂの側から一端部１１ａの側に移動する際に、そのガイドワイヤ１００の移動を湾曲した壁面において円滑にさせることができる。すなわち、収納具１０は、ガイドワイヤ１００が内壁１１の壁面に引っ掛かることを防止できる。
【００５２】
また、連結壁１３において、内壁１１の一端部１１ａと外壁１２の一端部１２ａとを結ぶ線上よりも内壁１１または外壁１２から離間するように延在している。このため、術者によって内壁１１に巻回されたガイドワイヤ１００は、弾性力によって元の形状に戻ろうとして周方向Ｒに沿った円弧が大きくなると共に外壁１２の側に誘導されるときに、そのガイドワイヤ１００を連結壁１３に接触させることなく円滑に移動させることができる。
【００５３】
また、外壁１２において、一端部１２ａから他端部１２ｂの間の壁面が放射方向外方に向けて凸状に湾曲している。このため、弾性力によって元の形状に戻ろうとして円弧が大きくなったガイドワイヤ１００は、内壁１１から離間し外壁１２に当接したときの反発力によって、外壁１２の壁面に当接しつつ放射方向と交差した延伸方向に沿って上下方向に移動したり、外壁１２の壁面から一時的に離間したりしても、最終的にガイドワイヤ１００を外壁１２の湾曲した中央部分に誘導して十分に収納することができる。
【００５４】
さらに、収納具１０は、周方向Ｒに沿って隙間１２ｄを隔てて複数の外壁１２が形成されている。このため、術者は、内壁１１と外壁１２の間に収納されたガイドワイヤ１００を隙間１２ｄから引き出すことができる。すなわち、ガイドワイヤ１００を、放射方向と交差した延伸方向に向かって傾斜させて内壁１１の他端部１１ｂの側から引き出す必要がなく、周方向Ｒに沿って円滑に引き出すことができる。
【００５５】
さらに、収納具１０は、複数の内壁１１を有し、複数の内壁１１は、隣り合う内壁１１の間に隙間が形成されており、外壁１２は、隣り合う内壁１１の間の隙間と収納空間１４を隔てて対向している。このため、収納具１０は、連結壁１３に複数の内壁１１及び外壁１２が連結されており、十分な強度を保つことができる。さらに、術者は、隙間を介して収納具１０に巻き付けられたガイドワイヤ１００の基端側や先端側を多方向から視認することが可能であることから、収納具１０からガイドワイヤ１００を引き出す際に、その基端側や先端側を探し易い。
【００５６】
さらに、収納具１０は、連結壁１３に貫通孔１３ｅが形成されている。このため、例えばガイドワイヤ１００を生理食塩水３００によって湿潤状態にさせるために生理食塩水３００に浸漬する際に、貫通孔１３ｅから生理食塩水３００を浸入させ易い。さらに、収納具１０は、貫通孔１３ｅによって軽量化することができる。さらに、収納具１０は、収納しているガイドワイヤ１００を貫通孔１３ｅから引き出すことができる。さらに、収納具１０は、収納しているガイドワイヤ１００を貫通孔１３ｅから視認することができる。
【００５７】
さらに、収納具１０は、内壁１１の他端部１１ｂと外壁１２の他端部１２ｂとの間に空間を備えている。このため、術者が空間に指先を挿入して、内壁１１と外壁１２を挟持するようにして握り易い。
【００５８】
以上、実施形態を通じて本発明に係る収納具１０を説明したが、本発明は実施形態において説明した構成のみに限定されることはなく、特許請求の範囲の記載に基づいて適宜変更することが可能である。
【００５９】
例えば、本発明に係る収納具１０は、内壁１１に巻回されたガイドワイヤ１００が、弾性力によって元の形状に戻ろうとして円弧が大きくなり、内壁１１から離間して外壁１２に当接するものとして構成したが、このような構成に限定されることはない。ガイドワイヤ１００の弾性力によっては、そのガイドワイヤ１００が、内壁１１から離間するものの外壁１２に達するまでの収納空間１４に留まり、外壁１２に当接しない場合も有りえる。
【００６０】
また、本発明に係る収納具１０は、ガイドワイヤ１００を巻回して収納するものとして構成したが、このような構成に限定されることはない。本発明に係る収納具１０は、例えば、カテーテルやマイクロチューブ等の医療用の長尺体を巻回して収納する構成としてもよい。
【００６１】
また、本発明に係る収納具１０は、医療用長尺体の基端側を固定して巻きはじめるものとして構成したが、このような構成に限定されることはない。本発明に係る収納具１０は、医療用長尺体の先端側を固定して巻きはじめるものとして構成してもよい。
【００６２】
また、本発明に係る収納具１０は、ガイドワイヤ１００を生理食塩水によって湿潤状態にさせるために、ガイドワイヤ１００を巻回して収納するものとして構成したが、このような構成に限定されることはない。本発明に係る収納具１０は、単に、医療用の長尺体を保管するために巻回して収納する構成としてもよい。
【００６３】
また、本発明に係る収納具１０は、ガイドワイヤ１００を円弧状に巻回して収納することから円環状に構成したが、このような構成に限定されることはない。本発明に係る収納具１０は、長方体形状に構成してもよい。
【００６４】
本出願は、２０１５年１月１６日に出願された日本特許出願番号２０１５−００７２０１号に基づいており、その開示内容は、参照され、全体として、組み入れられている。
【符号の説明】
【００６５】
１０    収納具、
１１    内壁、
１１ａ    一端部、
１１ｂ    他端部、
１２    外壁、
１２ａ    一端部、
１２ｂ    他端部、
１２ｄ    隙間、
１３    連結壁、
１３ｅ    貫通孔、
１４    収納空間、
１００    ガイドワイヤ（医療用長尺体）、
２００    バット、
３００    生理食塩水、
Ｐ１  （ガイドワイヤ１００の）巻回開始位置、
Ｐ２  （ガイドワイヤ１００の）巻回中途位置、
Ｐ３  （ガイドワイヤ１００の）巻回終了位置、
Ｐ４  （ガイドワイヤ１００の）巻出位置、
Ｈ    （ガイドワイヤ１００の）巻回軸と交差した法線方向、
Ｍ    （ガイドワイヤ１００の）巻回軸、
Ｒ    周方向、
ｒ１、ｒ２、ｒ３、ｒ４    （ガイドワイヤ１００の巻回軸Ｍを中心軸とする周方向Ｒに沿った）円弧。
【図１】
0006615123.tif 000002
【図２】
0006615123.tif 000003
【図３】
0006615123.tif 000004
【図４】
0006615123.tif 000005
【図５】
0006615123.tif 000006
【図６】
0006615123.tif 000007
【図７】
0006615123.tif 000008
【図８】
0006615123.tif 000009